(57)【要約】【課題】絞りでの光の回折による撮像素子の解像力の低下を防止することを可能とするマウントアダプタ及び撮影装置本体を提供する。【解決手段】本発明のマウントアダプタ５０は、第１イメージサークルＣ１を形成するレンズ鏡筒１２と、第１イメージサークルＣ１より小さい第２イメージサークルＣ２に対応した撮像素子３１を有する撮影装置本体１３との間に装着されるものであり、ワイドコンバージョンレンズ２２と、露光量調整部とを備えるものである。ワイドコンバージョンレンズ２２は、レンズ鏡筒１２から入射する光学像を変倍するものであって、変倍率をβ、第１イメージサークルの径をＤ１、第２イメージサークルの径をＤ２とした場合に、Ｄ２／Ｄ１≦β＜１の関係を有する。露光量調整部は、光学像の撮像素子３１への露光量を調整するものである。【選択図】図５
2017211397.tif 000002
【特許請求の範囲】
【請求項１】
第１イメージサークルを形成するレンズ鏡筒と、前記第１イメージサークルより小さい第２イメージサークルに対応した撮像素子を有する撮影装置本体との間に装着されるマウントアダプタにおいて、
前記レンズ鏡筒から入射する光学像を変倍するワイドコンバージョンレンズであって、変倍率をβ、前記第１イメージサークルの径をＤ１、前記第２イメージサークルの径をＤ２とした場合に、Ｄ２／Ｄ１≦β＜１の関係を有するワイドコンバージョンレンズと、
前記光学像の前記撮像素子への露光量を調整する露光量調整部と、
を備えるマウントアダプタ。
【請求項２】
前記露光量調整部は、前記露光量をβ２倍とする請求項１に記載のマウントアダプタ。
【請求項３】
前記ワイドコンバージョンレンズは、β＝Ｄ２／Ｄ１の関係を有する請求項１または２に記載のマウントアダプタ。
【請求項４】
前記露光量調整部は、前記撮像素子の露光量を調整して、前記ワイドコンバージョンレンズの変倍による前記光学像の増加量を打ち消す量をΔＥとした場合に、ΔＥは、０＜｜ΔＥ｜≦−２ｌｏｇ２（Ｄ２／Ｄ１）＋０．５を満たす請求項１に記載のマウントアダプタ。
【請求項５】
前記露光量調整部は、ＮＤフィルタである請求項１から４いずれか１項に記載のマウントアダプタ。
【請求項６】
前記露光量調整部は、前記撮像素子の露出を調整するための調整信号を出力する調整信号出力部である請求項１から４いずれか１項に記載のマウントアダプタ。
【請求項７】
前記露光量調整部は、
ＮＤフィルタと、
前記光学像の光路に挿入された挿入位置と前記光路から退避した退避位置との間で前記ＮＤフィルタを移動させるフィルタ駆動部と、
前記撮像素子の露出を調整するための調整信号を出力する調整信号出力部と、
前記フィルタ駆動部と前記調整信号出力部とを制御し、前記ＮＤフィルタを前記挿入位置に配置した場合には、前記調整信号出力部から前記調整信号を出力させず、前記ＮＤフィルタを前記退避位置に配置した場合には、前記調整信号出力部から前記調整信号を出力させる制御部とを備える請求項１から４いずれか１項に記載のマウントアダプタ。
【請求項８】
前記調整信号は、前記撮像素子のシャッタ速度またはゲインを調整するための信号である請求項６または７に記載のマウントアダプタ。
【請求項９】
請求項６から８いずれか１項に記載のマウントアダプタが接続される撮影装置本体であって、前記調整信号に基づいて、前記撮像素子のシャッタ速度またはゲインを調整する撮影装置本体。
【発明の詳細な説明】
【技術分野】
【０００１】
本発明は、レンズ鏡筒と撮影装置本体との間に装着されるマウントアダプタ、及びマウントアダプタが装着される撮影装置本体に関するものである。
【背景技術】
【０００２】
レンズ交換式のデジタルカメラやビデオカメラ等の撮影装置において、レンズ鏡筒と撮影装置本体との間にマウントアダプタを装着することで、レンズ鏡筒の焦点距離を変更して撮影を行うことが可能とされている。このマウントアダプタには、焦点距離を望遠側に変更するテレコンバージョンレンズを有するものの他、焦点距離を広角側に変更するワイドコンバージョンレンズを有するものがある（特許文献１参照）。
【０００３】
特許文献１では、イメージサークルの異なるレンズ鏡筒と撮影装置本体とを用いる場合に、レンズ鏡筒の本来の画角に近い画角で撮影を可能とするマウントアダプタが提案されている。具体的に、特許文献１に記載のマウントアダプタは、第１イメージサークルを形成するレンズ鏡筒を、第１イメージサークルより小さい第２イメージサークルに対応した撮影装置本体に取り付けるために、第１イメージサークルの大きさを第２イメージサークルの大きさにほぼ等しくするように倍率が設定されたワイドコンバージョンレンズを有している。
【先行技術文献】
【特許文献】
【０００４】
【特許文献１】特開２０１０−０２８３２８号公報
【発明の概要】
【発明が解決しようとする課題】
【０００５】
近年、現在デジタル放送で行われているハイビジョン（１９２０×１０８０）の縦横の解像度をそれぞれ４倍または８倍とした高精細なスーパーハイビジョンに対応したビデオカメラ等が開発されつつある。スーパーハイビジョン用の撮像素子は、従来と比較して小さなイメージサークルに対応するものである。
【０００６】
このようなスーパーハイビジョン用の撮影装置本体には、従来のレンズ鏡筒を直接接続することができない。このため、従来のレンズ鏡筒を活用するために、特許文献１に記載のワイドコンバージョンレンズを有するマウントアダプタを介して、レンズ鏡筒をスーパーハイビジョン用の撮影装置本体に接続することが考えられる。
【０００７】
特許文献１に記載のワイドコンバージョンレンズを有するマウントアダプタを用いると、レンズ鏡筒の第１イメージサークルに集光される光量が、第１イメージサークルより小さな第２イメージサークルに集光されるため、実質的なレンズ鏡筒の絞り値（Ｆ値）が小さくなり、像面照度が増加して露出オーバーとなる。このように露出オーバーとなると、撮影装置本体では、自動露出制御により露出変更が行われるが、撮影装置本体がビデオカメラである場合には、シャッタ速度を一定とすることが好ましいため、絞りを優先して露出変更が行われる。
【０００８】
しかしながら、ワイドコンバージョンレンズによる露出のオーバー分を補正するように絞り値が大きくなる（絞りが絞られる）と、絞り値が大きくなるにしたがって、光の回折が生じやすくなる。スーパーハイビジョン用の撮像素子は、ドットピッチが細かく高精細であることにより回折の影響を受けやすいので、本来の適正な解像力が得られなくなるという問題がある。
【０００９】
本発明は、絞りでの光の回折による撮像素子の解像力の低下を防止することを可能とするマウントアダプタ及び撮影装置本体を提供することを目的とする。
【課題を解決するための手段】
【００１０】
本発明のマウントアダプタは、第１イメージサークルを形成するレンズ鏡筒と、第１イメージサークルより小さい第２イメージサークルに対応した撮像素子を有する撮影装置本体との間に装着されるマウントアダプタにおいて、ワイドコンバージョンレンズと、露光量調整部と、を備えるものである。ワイドコンバージョンレンズは、レンズ鏡筒から入射する光学像を変倍するものであって、変倍率をβ、第１イメージサークルの径をＤ１、第２イメージサークルの径をＤ２とした場合に、Ｄ２／Ｄ１≦β＜１の関係を有する。露光量調整部は、光学像の撮像素子への露光量を調整する。
【００１１】
露光量調整部は、露光量をβ２倍とすることが好ましい。また、ワイドコンバージョンレンズは、β＝Ｄ２／Ｄ１の関係を有することが好ましい。あるいは、露光量調整部は、撮像素子の露光量を調整して、ワイドコンバージョンレンズの変倍による光学像の増加量を打ち消す量をΔＥとした場合に、ΔＥは、０＜｜ΔＥ｜≦−２ｌｏｇ２（Ｄ２／Ｄ１）＋０．５を満たすことが好ましい。
【００１２】
露光量調整部は、ＮＤフィルタであることが好ましい。また、露光量調整部は、撮像素子の露出を調整するための調整信号を出力する調整信号出力部であることが好ましい。
【００１３】
また、露光量調整部は、ＮＤフィルタと、光学像の光路に挿入された挿入位置と光路から退避した退避位置との間でＮＤフィルタを移動させるフィルタ駆動部と、撮像素子の露出を調整するための調整信号を出力する調整信号出力部と、フィルタ駆動部と調整信号出力部とを制御する制御部と、を備えることが好ましい。この制御部は、ＮＤフィルタを挿入位置に配置した場合には、調整信号出力部から調整信号を出力させず、ＮＤフィルタを退避位置に配置した場合には、調整信号出力部から調整信号を出力させる。
【００１４】
露光量調整部が調整信号出力部を備える場合には、調整信号は、撮像素子のシャッタ速度またはゲインを調整するための信号であることが好ましい。
【００１５】
また、本発明は、露光量調整部が調整信号出力部を備える上記のマウントアダプタが接続される撮影装置本体であって、調整信号に基づいて、撮像素子のシャッタ速度またはゲインを調整するものである。
【発明の効果】
【００１６】
本発明によれば、露光量調整部によりワイドコンバージョンレンズによる露出のオーバー分を補正するので、絞りでの光の回折による撮像素子の解像力の低下を防止することができる。
【図面の簡単な説明】
【００１７】
【図１】撮影装置の外観斜視図である。
【図２】撮影装置の構成を示すブロック図である。
【図３】第１及び第２イメージサークルを説明する図である。
【図４】第２実施形態のマウントアダプタが装着された撮影装置の構成を示すブロック図である。
【図５】第３実施形態のマウントアダプタが装着された撮影装置の構成を示すブロック図である。
【図６】複合フィルタを示す図である。
【図７】露光量を調整するためのフローチャートである。
【発明を実施するための形態】
【００１８】
［第１実施形態］
図１において、レンズ鏡筒１２は、撮影装置本体１３が対応する焦点距離より大きな焦点距離を有するものであり、マウントアダプタ１０を介して撮影装置本体１３に取り付けられる。レンズ鏡筒１２、マウントアダプタ１０、撮影装置本体１３は、ビデオカメラとしての撮影装置１５を構成している。このようにマウントアダプタ１０が装着して用いられるレンズ鏡筒１２は、マスターレンズと呼ばれる。
【００１９】
撮影装置本体１３には、電源のオン／オフ操作や、ＩＳＯ（International Organization for Standardization）感度等の各種撮影条件の設定や、動画の撮影操作を行うための操作部１３Ａが設けられている。レンズ鏡筒１２と撮影装置本体１３とはマウントアダプタ１０を介して電気的に接続し、撮影装置本体１３側からレンズ鏡筒１２が制御可能に構成されている。
【００２０】
図２において、レンズ鏡筒１２は、光軸ＬＡ上に沿って配置されたレンズ光学系２６と、絞り２７とを有する。レンズ光学系２６は、複数の光学レンズから構成されており、図示しない機構により、それらの光学レンズの全体または一部が移動することにより、光軸ＬＡに沿って入射する光学像の合焦（ピント合わせ）が可能となっている。絞り２７は、光学像の光量を調整する。
【００２１】
レンズ鏡筒１２は、図３に示すように、焦点面（像面）に第１イメージサークルＣ１を形成する。第１イメージサークルＣ１の径Ｄ１は、レンズ鏡筒１２が対応する（直接接続される）従来の撮影装置本体（図示なし）が備える撮像素子の撮像面の対角線の長さにほぼ等しい。撮影装置本体１３は、第１イメージサークルＣ１より小さな第２イメージサークルＣ２に対応するものである。第２イメージサークルＣ２の径Ｄ２は、第１イメージサークルＣ１の径Ｄ１より小さく（すなわち、Ｄ１＞Ｄ２）、撮影装置本体１３が備える撮像素子３１の撮像面３１Ａの対角線の長さにほぼ等しい。イメージサークルとは、レンズ鏡筒を通過した光が焦点面に結像する範囲を指している。
【００２２】
マウントアダプタ１０は、ワイドコンバージョンレンズ２２と、ＮＤ（Neutral Density）フィルタ２３とを有する。ワイドコンバージョンレンズ２２は、レンズ鏡筒１２の焦点距離を、撮影装置本体１３が対応する焦点距離に縮小するものである。すなわち、ワイドコンバージョンレンズ２２によりレンズ鏡筒１２の焦点面が、撮像素子３１の撮像面３１Ａの近傍とされる。
【００２３】
また、ワイドコンバージョンレンズ２２は、レンズ鏡筒１２が形成する第１イメージサークルＣ１の大きさを、第２イメージサークルＣ２の大きさに縮小する。すなわち、ワイドコンバージョンレンズ２２の変倍率βは、「β＝Ｄ２／Ｄ１」の関係である。
【００２４】
ＮＤフィルタ２３は、ワイドコンバージョンレンズ２２よりレンズ鏡筒１２側に設けられており、レンズ鏡筒１２から入射する光学像を減光してワイドコンバージョンレンズ２２に入射させる。ＮＤフィルタ２３は、光学像の撮像素子３１への露光量を調整する露光量調整部として機能している。
【００２５】
ＮＤフィルタ２３の光透過率Ｐは、ワイドコンバージョンレンズ２２の変倍により生じる像面照度の増加量を打ち消すように決定されている。ＮＤフィルタ２３が存在しない場合には、ワイドコンバージョンレンズ２２により光学像がβ倍に変倍されると、光学像の単位面積当たりの光量は１／β２倍となるので、光透過率Ｐは、ほぼ「Ｐ＝β２」の関係を満たすように設定されている。
【００２６】
具体的には、光透過率Ｐは、設定誤差を考慮して、「β２／δ≦Ｐ≦β２×δ」の範囲内であることが好ましい。ここで、δは、後述するＡＰＥＸ（Additive system of Photographic Exposure）表現で表される露出値の「１／２段」に相当する「２１／２」とする。なお、変倍率βが１に近いほど、光透過率Ｐの設定範囲の上限である「β２×δ」が大きくなるが、勿論、光透過率Ｐの設定範囲の上限は「１」である。
【００２７】
撮影装置本体１３は、撮像素子３１と、画像処理部３２と、撮像素子制御部３３と、ＣＰＵ３４と、メモリ３５と、表示部３６とを備える。撮像素子３１は、レンズ鏡筒１２からマウントアダプタ１０を介して入射する光学像を光電変換して画像処理部３２に撮像信号を出力する。
【００２８】
撮像素子３１は、例えばＣＭＯＳ（Complementary Metal Oxide Semiconductor）型イメージセンサやＣＣＤ（Charge Coupled Device）型イメージセンサであり、電子シャッタ速度や、ゲインアンプ（図示せず）のゲインの制御が可能である。撮像素子３１は、ハイビジョン（１９２０×１０８０）の縦横の解像度をそれぞれ４倍または８倍とした高精細なスーパーハイビジョンに対応した画素数及び画素密度を有するものである。
【００２９】
画像処理部３２は、撮像素子３１から出力された撮像信号に基づいて撮影画像を生成し、これをメモリ３５及び表示部３６に出力する。メモリ３５は、画像処理部３２から入力された撮影画像を記憶する。表示部３６は、画像処理部３２から入力された撮影画像に基づく画像表示を行う。
【００３０】
撮像素子制御部３３は、シャッタ制御部３８と、ゲイン制御部３９とを備える。シャッタ制御部３８は、ＣＰＵ３４の制御に基づいて撮像素子３１の電子シャッタ速度を変更する。ゲイン制御部３９は、ＣＰＵ３４の制御に基づいて撮像素子３１のゲインアンプのゲインＧを変更する。ゲインＧは、操作部１３Ａにより設定されるＩＳＯ感度に応じて設定される。
【００３１】
ＣＰＵ３４は、露出設定部として機能する。ＣＰＵ３４は、撮像信号をＹ／Ｃ変換して得られる輝度信号にもとづいて被写体輝度に対応する光学像の輝度値（ＢＶ：Brightness Value）を算出し、算出したＢＶと、撮像素子３１の感度値（ＳＶ：Sensitivity Value）に基づいて、露出値（ＥＶ：Exposure Value）を求める。そして、ＣＰＵ３４は、プログラム線図を用いて、求めたＥＶに対応する１組のＴＶ（Time Value）及びＡＶ（Aperture Value）を決定する。
【００３２】
ＣＰＵ３４は、決定したＴＶに基づいてシャッタ制御部３８を制御することにより、撮像素子３１の撮影シャッタ速度ｔ（単位；秒）を設定し、ＡＶに基づいて絞り２７の撮影絞り値（Ｆ値）を設定する。なお、具体的には、ＢＶ、ＳＶ、ＥＶ、ＡＶ、ＴＶは、ＡＰＥＸ演算式（１）、（２）の関係にある。
【００３３】
ＥＶ＝ＢＶ＋ＳＶ    ・・・（１）
ＥＶ＝ＡＶ＋ＴＶ    ・・・（２）
【００３４】
ここで、ＢＶは、光学像の輝度Ｂ（単位；ｃｄ／ｍ２）と式（３）の関係にある。また、ＳＶは、撮像素子３１のゲインＧと式（４）の関係にある。
【００３５】
ＢＶ＝ｌｏｇ２（Ｂ／０．３２Ｋ）    ・・・（３）
ＳＶ＝ｌｏｇ２（０．３２ＳＧ）    ・・・（４）
【００３６】
ここで、Ｋは、校正係数である。Ｓは、ＩＳＯ感度（単位；ｌｘ−１ｓ−１）である。
【００３７】
また、ＡＶは、撮影絞り値に対応しており、絞り２７の撮影絞り値であるＦ値と式（５）の関係にある。また、ＴＶは、撮影シャッタ速度に対応しており、撮影シャッタ速度ｔと式（６）の関係にある。
【００３８】
ＡＶ＝２ｌｏｇ２（Ｆ）    ・・・（５）
ＴＶ＝−ｌｏｇ２（ｔ）    ・・・（６）
【００３９】
したがって、ＣＰＵ３４は、式（１）〜（６）に基づいて、撮影露出の算出及び設定を行う。簡単に言うと、ＣＰＵ３４は、式（１），（２）より得られる式（７）に基づいて、撮影露出の算出及び設定を行う。
【００４０】
ＢＶ＝ＡＶ＋ＴＶ−ＳＶ    ・・・（７）
【００４１】
もし、ＮＤフィルタ２３が存在しない場合には、被写体輝度に変化がない場合でも、ワイドコンバージョンレンズ２２の変倍により像面照度が増加することによりＢＶが増加し、露出オーバーとなるので、このオーバー分を補正するように、ＡＶまたはＴＶが変更される。しかし、本実施形態では、ＮＤフィルタ２３により、ワイドコンバージョンレンズ２２の変倍による像面照度の増加量を打ち消すように光学像を減光しているので、ＢＶの増加はなく、露出オーバーとなってＡＶまたはＴＶが変更されることは防止される。
【００４２】
本実施形態では、ＮＤフィルタ２３の光透過率Ｐを、β２／δ≦Ｐ≦β２×δ（ここで、δ＝２１／２）の範囲内としているが、これは、ＢＶを、「２ｌｏｇ２（Ｄ２／Ｄ１）−０．５≦ΔＥ≦２ｌｏｇ２（Ｄ２／Ｄ１）＋０．５」を満たすΔＥだけ変化させることに相当する。
【００４３】
以上のように構成された撮影装置１５の作用について説明する。撮影装置１５は、従来の焦点距離の長いレンズ鏡筒１２を、短い焦点距離に対応した撮影装置本体１３に取り付けるために、マウントアダプタ１０を介して撮影装置本体１３に取り付けられたものである。
【００４４】
撮影装置１５は、ユーザにより操作部１３Ａが操作されて、電源がオンとされ、動作モードが撮影モードに設定されると撮像動作を開始する。例えば、撮影モードとして、動画モードが設定された場合には、撮像素子３１が周期的に動作し、１フレーム期間ごとに撮像信号が出力される。
【００４５】
画像処理部３２による撮影画像の生成と、ＣＰＵ３４による露出設定とは、１フレーム期間ごとに行われる。ＣＰＵ３４は、上述のように、被写体輝度に対応するＢＶを算出し、このＢＶに基づいて、ＴＶ及びＡＶを決定して、撮影シャッタ速度及び撮影絞り値（Ｆ値）の設定を行う。被写体輝度が変化した場合には、撮影露出の決定において、ＴＶは固定のまま、ＡＶが変更される。
【００４６】
本実施形態では、ワイドコンバージョンレンズ２２の変倍による像面照度の増加量を打ち消すようにＮＤフィルタ２３によって光学像が減光されているので、像面照度の増加による露出オーバーにより、絞り２７が絞られることが防止され、絞り２７を極力開放に近い状態で使用することができる。このため、絞り２７が絞られることにより、光の回折成分が増加し、撮像素子３１の解像力が低下することが防止される。
【００４７】
なお、上記実施形態では、ワイドコンバージョンレンズ２２の変倍率βを、β＝Ｄ２／Ｄ１と設定しているが、変倍率βは、Ｄ２／Ｄ１に一致していなくても良い。β＜Ｄ２／Ｄ１とすると、撮像素子３１の撮像面３１Ａが第２イメージサークルＣ２からはみ出し、撮像素子３１で撮像される光学像にケラレが生じるので、変倍率βは、「Ｄ２／Ｄ１≦β＜１」の範囲内であれば良い。
【００４８】
このように、変倍率βを、「Ｄ２／Ｄ１≦β＜１」の範囲内とした場合には、ＮＤフィルタ２３の光透過率Ｐの取り得る範囲は、「β２／δ≦Ｐ＜１」となる。これは、式（７）において、ＢＶを、「２ｌｏｇ２（Ｄ２／Ｄ１）−０．５≦ΔＥ＜０」を満たすΔＥだけ変化させることに相当する。
【００４９】
また、上記実施形態では、ＮＤフィルタ２３をワイドコンバージョンレンズ２２のレンズ鏡筒１２側に配置しているが、ワイドコンバージョンレンズ２２の撮影装置本体１３側に配置してもよい。
【００５０】
［第２実施形態］
上記第１実施形態では、ワイドコンバージョンレンズ２２の変倍による像面照度の増加量を、ＮＤフィルタ２３を設けることにより打ち消しているが、撮像素子３１の露出調整により打ち消すことも可能である。図４において、第２実施形態のマウントアダプタ４０は、ＮＤフィルタ２３に代えて、撮像素子３１の露出を調整するための調整信号出力部４２を備える。レンズ鏡筒１２は、マウントアダプタ４０を介して撮影装置本体１３に取り付けられる。
【００５１】
調整信号出力部４２は、撮像素子３１の露出を調整するための調整信号を撮影装置本体１３に出力する。この調整信号は、ワイドコンバージョンレンズ２２の変倍による像面照度の増加量を表すデジタル信号である。ＣＰＵ３４は、調整信号出力部４２から入力された調整信号に基づき、像面照度の増加により生じる露出オーバーのオーバー分を補正するように、撮影シャッタ速度ｔを変更する。
【００５２】
具体的には、ＣＰＵ３４は、撮影シャッタ速度ｔを、ほぼ「τ＝β２」の関係を満たす補正倍率τを乗じた値に変更する。この補正倍率τは、設定誤差を考慮して、「β２／δ≦τ≦β２×δ」の範囲内であることが好ましい。勿論、補正倍率τの上限は「１」である。δは、例えば、δ＝２１／２である。この場合、撮影シャッタ速度ｔの補正は、式（７）において、ＴＶを、「−２ｌｏｇ２（Ｄ２／Ｄ１）−０．５≦ΔＥ≦−２ｌｏｇ２（Ｄ２／Ｄ１）＋０．５」を満たすΔＥだけ変化させることに相当する。
【００５３】
本実施形態では、ワイドコンバージョンレンズ２２の変倍による像面照度の増加量を打ち消すように、調整信号出力部４２によって撮影シャッタ速度ｔが小さく（ＴＶが大きく）調整されるので、像面照度の増加による露出オーバーにより、絞り２７が絞られることが防止される。このため、絞り２７が絞られることにより光の回折成分が増加し、撮像素子３１の解像力が低下することが防止される。
【００５４】
第１実施形態と同様に、変倍率βを、「Ｄ２／Ｄ１≦β＜１」の範囲内とした場合には、撮影シャッタ速度ｔの補正倍率τの取り得る範囲は、「β２／δ≦τ＜１」となる。これは、式（７）において、ＴＶを、「０＜ΔＥ≦−２ｌｏｇ２（Ｄ２／Ｄ１）＋０．５」を満たすΔＥだけ変化させることに相当する。
【００５５】
第２実施形態では、調整信号出力部４２の調整信号により撮影シャッタ速度ｔを調整しているが、撮影シャッタ速度ｔに代えて、撮像素子３１のゲインアンプのゲインＧを調整することにより、ワイドコンバージョンレンズ２２の変倍による像面照度の増加量を打ち消すことも可能である。この場合、ＣＰＵ３４は、ゲインＧに上記の補正倍率τを乗じた値に変更する。同様に、補正倍率τは、設定誤差を考慮して、「β２／δ≦τ≦β２×δ」の範囲内であることが好ましい。もちろん、補正倍率τの上限は「１」である。δは、例えば、δ＝２１／２である。この場合、ゲインＧの補正は、ＳＶを、「２ｌｏｇ２（Ｄ２／Ｄ１）−０．５≦ΔＥ≦２ｌｏｇ２（Ｄ２／Ｄ１）＋０．５」を満たすΔＥだけ変化させることに相当する。
【００５６】
第１実施形態と同様に、変倍率βを、「Ｄ２／Ｄ１≦β＜１」の範囲内とした場合には、ゲインＧの補正倍率τの取り得る範囲は、「β２／δ≦τ＜１」となる。これは、ＳＶを、「２ｌｏｇ２（Ｄ２／Ｄ１）−０．５≦ΔＥ＜０」を満たすΔＥだけ変化させることに相当する。このように、ゲインＧを調整する場合には、ゲインは低下する方向に調整される。このゲインは、撮像素子３１の受光素子の出力を増幅するものであるので、ゲインを低下させることで、画像全体のノイズの低減に寄与する。
【００５７】
さらに、ＣＰＵ３４は、調整信号出力部４２の調整信号に基づいて、撮影シャッタ速度ｔとゲインＧとの両方を変更してもよい。例えば、δ＝２１／２の場合には、式（７）において、「ＴＶ−ＳＶ」を、「−２ｌｏｇ２（Ｄ２／Ｄ１）−０．５≦ΔＥ≦−２ｌｏｇ２（Ｄ２／Ｄ１）＋０．５」を満たすΔＥだけ変化させればよい。
【００５８】
また、第２実施形態では、調整信号出力部４２は、ワイドコンバージョンレンズ２２の変倍による像面照度の増加量を表すデジタル信号を調整信号として出力しているが、単に、調整信号出力部４２の出力端子を、「ショート」、「開放」との間で切り替えるものとしてもよい。この場合には、ＣＰＵ３４は、調整信号出力部４２の出力端子の状態（ショート、開放のいずれであるか）を検出し、予め記憶した情報に基づいて、撮像素子３１の露出（撮影シャッタ速度、ゲイン、またはその両方）を調整してもよい。
【００５９】
第１実施形態では、露光量調整部として機能するＮＤフィルタ２３は、ＢＶを、「２ｌｏｇ２（Ｄ２／Ｄ１）−０．５≦ΔＥ＜０」を満たすΔＥだけ変化させている。第２実施形態では、露光量調整部として機能する調整信号出力部４２は、撮影シャッタ速度ｔを調整する場合には、ＴＶを、「０＜ΔＥ≦−２ｌｏｇ２（Ｄ２／Ｄ１）＋０．５」を満たすΔＥだけ変化させている。一方、露光量調整部として機能する調整信号出力部４２は、ゲインＧを調整する場合には、ＳＶを、「２ｌｏｇ２（Ｄ２／Ｄ１）−０．５≦ΔＥ＜０」を満たすΔＥだけ変化させている。すなわち、露光量調整部がＢＶまたはＳＶを調整する場合にはΔＥは負の値となるが、ＴＶを調整する場合にはΔＥは正の値となる。このような符号の差は、ＢＶ、ＴＶ、ＳＶの定義によるものであり、ＢＶまたはＳＶを減少させる方向とＴＶを増加させる方向とはいずれも、光学像の露光量を減少させる方向である。ＢＶ、ＴＶ、ＳＶのいずれを調整する場合でも、露光量調整部は、ワイドコンバージョンレンズの変倍による光学像の増加量を打ち消す量をΔＥとすると、ΔＥは、「０＜｜ΔＥ｜≦−２ｌｏｇ２（Ｄ２／Ｄ１）＋０．５」の関係である。
【００６０】
［第３実施形態］
第３実施形態では、ＮＤフィルタ２３と調整信号出力部４２とを選択的に用いることを可能とする。図５において、第３実施形態のマウントアダプタ５０は、第２実施形態の調整信号出力部４２に加えて、複合フィルタ５３と、フィルタ駆動部５４と、制御部５７と、調整切替操作部５０Ａとを備える。
【００６１】
図６において、複合フィルタ５３は、ほぼ正方形のＮＤフィルタ５３Ａと透明板５３Ｂとが接合されたものである。ＮＤフィルタ５３Ａは、ＮＤフィルタ２３と同一の減光特性を有する。透明板５３Ｂは、光透過率がほぼ１であり、ＮＤフィルタ５３Ａと、屈折率及び厚さがほぼ同一である。
【００６２】
複合フィルタ５３は、フィルタ駆動部５４によって、光軸ＬＡにほぼ垂直する方向に移動させる。フィルタ駆動部５４は、光学像の光路である光軸ＬＡ上にＮＤフィルタ５３Ａを挿入する第１の位置と、光軸ＬＡ上に透明板５３Ｂを挿入する第２の位置との間で、複合フィルタ５３を移動させる。ＮＤフィルタ５３Ａは、第１の位置では、光学像の光路に挿入された「挿入位置」とされ、第２の位置では、光学像の光路から退避した「退避位置」とされる。
【００６３】
ＮＤフィルタ５３Ａと透明板５３Ｂとを屈折率及び厚さがほぼ同一としているのは、ＮＤフィルタ５３Ａが光軸ＬＡ上に配置される場合と、透明板５３Ｂが光軸ＬＡ上に配置される場合とで、複合フィルタ５３を通過する光の光路長を等しくし、バックフォーカスの変化を防止するためである。
【００６４】
調整信号出力部４２とフィルタ駆動部５４とには、制御部５７が電気的に接続している。制御部５７は、調整信号出力部４２とフィルタ駆動部５４とを制御して、複合フィルタ５３を第１の位置に配置した場合には、調整信号出力部４２から調整信号を出力させず、複合フィルタ５３を第２の位置に配置した場合には、調整信号出力部４２から調整信号を出力させる。ＣＰＵ３４は、この調整信号に基づいて、撮影シャッタ速度ｔまたはゲインＧの調整、若しくは撮影シャッタ速度ｔとゲインＧとの両方の調整を行う。この調整量は、第２実施形態と同様である。
【００６５】
制御部５７は、調整切替操作部５０Ａから入力される操作信号に基づいて、複合フィルタ５３を第１の位置に配置して調整信号出力部４２から調整信号を出力させない「ＮＤフィルタモード」と、複合フィルタ５３を第２の位置に配置して調整信号出力部４２から調整信号を出力させる「調整信号モード」とを切り替える。
【００６６】
また、調整信号モードには、第１調整モード、第２調整モード、第３調整モードがあり、これらは、調整切替操作部５０Ａの操作により選択可能とされている。第１調整モードでは、撮影シャッタ速度ｔのみが調整される。第２調整モードでは、ゲインＧのみが調整される。第３調整モードでは、撮影シャッタ速度ｔとゲインＧとの両方が調整される。
【００６７】
第３実施形態の撮影装置５５の作用について図７のフローチャートを用いて説明する。撮影装置５５では、調整切替操作部５０Ａの操作に応じて、露光量の調整モードを切り替える調整モード切替制御が行われる。調整モード切替制御は、ステップＳ１１〜Ｓ１８からなる。
【００６８】
調整切替操作部５０ＡによりＮＤフィルタモードが選択された場合には（ステップＳ１１のＹＥＳ）、複合フィルタ５３を第１の位置に配置する（ステップＳ１２）。一方、調整切替操作部５０Ａにより調整信号モードが選択された場合には（ステップＳ１１のＮＯ）、複合フィルタ５３を第２の位置に配置する（ステップＳ１３）。
【００６９】
さらに、調整信号モードが第１調整モードである場合には（ステップＳ１４のＹＥＳ）、撮影シャッタ速度ｔを調整する（ステップＳ１５）。調整信号モードが第２調整モードである場合には（ステップＳ１４のＮＯ、ステップＳ１６のＹＥＳ）、ゲインＧを調整する（ステップＳ１７）。そして、調整信号モードが第３調整モードである場合には（ステップＳ１４のＮＯ、ステップＳ１６のＮＯ）、撮影シャッタ速度ｔとゲインＧとの両方を調整する（ステップＳ１８）。
【００７０】
なお、第３実施形態では、複合フィルタ５３をワイドコンバージョンレンズ２２のレンズ鏡筒１２側に配置しているが、ワイドコンバージョンレンズ２２の撮影装置本体１３側に配置してもよい。
【００７１】
また、第３実施形態では、複合フィルタ５３をスライド移動させることにより、第１の位置と第２の位置とでの切り替えを行っているが、複合フィルタ５３を円盤状とし、これを回転させることで、第１の位置と第２の位置との切り替えを行ってもよい。
【００７２】
上記各実施形態は、撮影装置をビデオカメラとしているが、静止画や動画を撮影するデジタルカメラ等にも適用可能である。
【符号の説明】
【００７３】
１０、４０、５０  マウントアダプタ
１２  レンズ鏡筒
１３  撮影装置本体
１５、４５、５５  撮影装置
２２  ワイドコンバージョンレンズ
２３、５３Ａ  ＮＤフィルタ
３１  撮像素子
４２  調整信号出力部
５４  フィルタ駆動部
５７  制御部
【図１】
2017211397.tif 000003
【図２】
2017211397.tif 000004
【図３】
2017211397.tif 000005
【図４】
2017211397.tif 000006
【図５】
2017211397.tif 000007
【図６】
2017211397.tif 000008
【図７】
2017211397.tif 000009